(57)【要約】【課題】  地植えや鉢植えでは開花困難な冬期でも、手軽に屋内で生育開花させて観賞可能な球根類の栽培セットを提供すること。【解決手段】  底面部１ａに穴２を、上面部１ｂに開口可能な蓋部３を、それぞれ有する容器１と、この容器１内に下位から上位に順に積層状に配設されたそれぞれ通水性を有する各層が、落下防止層４と、下位育成層５と、肥料層６と、根付け層７と、上位育成層８とからなり、前記上位育成層８内における前記根付け層７上に冷蔵保管した後の防カビおよび防虫処理された球根９を有し、この球根９の根９ａが根付け層７に根付き得るようにしてある。【選択図】  図１
0003117452.tif 000002
【実用新案登録請求の範囲】
【請求項１】
底面部に穴を、上面部に開口可能な蓋部を、それぞれ有する容器と、この容器内に下位から上位に順に積層状に配設されたそれぞれ通水性を有する各層が、落下防止層と、下位育成層と、肥料層と、根付け層と、上位育成層とからなり、前記上位育成層内における前記根付け層上に冷蔵保管した後の防カビおよび防虫処理された球根を有し、この球根の根が根付け層に根付き得るようにしてあることを特徴とする栽培セット。
【考案の詳細な説明】
【技術分野】
【０００１】
本考案は、チューリップ，ユリ，カタバミ，フリージア，カラー，カンナ，ダリア，スイセン等の球根類の栽培セットに関する。
【背景技術】
【０００２】
たとえば特許文献１に掲載されているメッセージ入りマメ科の種子の栽培セットがある。これの構成は、マメ科の種子に対して、種子を損傷することなくレーザー光線を照射することによって文字および図案等を種子の表面に刻印し、このマメ科の種子をバーミキュライトを詰めた密閉容器に植え付けて刻印したメッセージを伝達したいタイミングに合わせ自由に選択できるようにし、開封後に栽培しながら、この豆科の種子を直接のメッセージ伝達媒体とするものである。
かかる栽培セットでは、季節を問わず、観葉植物を栽培する喜びと共に、直接の伝達媒体となる豆科の種子に刻まれた多様なメッセージを発進することができるようになり、例えば「Ｉ  ｌｏｖｅ  ｙｏｕ」、「Ｈａｐｐｙ  Ｂｉｒｔｈｄａｙ」、或いはハートのマークや社名等も簡単にメッセージとして伝達できる本栽培セットの斬新性は、広告宣伝効果を求められるノベルティグッズや送り手の気持ちが送られる人に優しく且つ確実に伝えることのできる各種プレゼントに活用することができるようになる効果がある。
ところで、チューリップ，ユリ，スイセン等の球根類になると、寒い冬期を経て暖かくなった春に開花するものであるから、観賞時期が限定され、例えば一般家庭やオフィスで冬期に栽培し観賞することは望めないでいる。
【特許文献１】実用新案登録第３１０８２８６号
【考案の開示】
【考案が解決しようとする課題】
【０００３】
解決しようとする課題は、地植えや鉢植えでは開花困難な冬期でも、手軽に屋内で生育開花させて観賞可能な球根類の栽培セットを提供することにある。
【課題を解決するための手段】
【０００４】
本考案では前記した課題を達成するため、底面部に穴を、上面部に開口可能な蓋部を、それぞれ有する容器と、この容器内に下位から上位に順に積層状に配設されたそれぞれ通水性を有する各層が、落下防止層と、下位育成層と、肥料層と、根付け層と、上位育成層とからなり、前記上位育成層内における前記根付け層上に冷蔵保管した後の防カビおよび防虫処理された球根を有し、この球根の根が根付け層に根付き得るようにしてあることを特徴とする。
本考案における容器は、底面部に水抜けの穴を、上面部に開口可能な蓋部を、それぞれ有する缶タイプ或いは壺タイプ等の流通可能であるものであればよく、材質としてはスチール製，アルミ製，プラスチック製，ガラス製，陶器製，セラミック製，木製、石製等が挙げられる。蓋部は、缶切り等で開口可能なもの或いは摘みを起こして切り離して開口可能なもの若しくは別体のもののいずれでもよい。
落下防止層としては、下位育成層の構成部材が穴から落下するのを防ぐ働きを有する部材からなる一層タイプのものでもよいし、下位育成層の構成部材が穴から落下するのを防ぐ働きおよび穴から流出する水を濾過する働きを併せ持つ部材からなる一層タイプのものでもよく、また、穴から流出する水を濾過する働きを持つ部材と下位育成層の構成部材が穴から落下するのを防ぐ働きを有する部材とからなる二層タイプのものであってもよい。かかる構成部材には、綿部材，不織布，織布，フィルター等が挙げられる。
下位と上位の育成層としては、球根類を育成するのに適したバーミキュライト，砂等の土壌が挙げられる。
肥料層としては、球根類を育成するのに適した一般的な公知の肥料でよく、特に限定されない。
根付け層としては、球根の根が根付き得る部材であればよく、たとえば綿部材等が挙げられる。
これらの落下防止層と上下の育成層と肥料層と根付け層は、いずれも通水性を有する固体状のものになる。
球根としては、冷蔵保管した後の防カビおよび防虫処理されたチューリップ，ユリ，カタバミ，フリージア，カラー，カンナ，ダリア，スイセン等の各種の球根が挙げられる。
【考案の効果】
【０００５】
Ａ．請求項１により、上位育成層内における前記根付け層上の球根が、冷蔵保管した後の防カビおよび防虫処理された球根であるから、蓋部を開けて開口から上位育成層に水をやることで、地植えや鉢植えでは開花困難な冬期でも、手軽に屋内で生育開花させて観賞することができる。
そして、球根の根が根付け層に根付いて安定するから、根切れしたりすることがなく、肥料層の栄養分を吸収して順調に生育する。さらに、球根が防カビおよび防虫処理されて健康な状態であるから順調に生育して開花する。
また、市場に出すまでの間、低温管理して発芽速度を抑制させることで約三が月保存することもできる。
【考案を実施するための最良の形態】
【０００６】
図１および図２には本考案の栽培セットにおける実施の１形態を例示しており、容器１は、底面部１ａに穴２を、上面部１ｂに開口可能な蓋部３を、それぞれ有するアルミ缶製のもので、蓋部３は摘み３ａを起こして切り離して上面部１ｂを開口可能に形成してある。
この容器１内には、下位から上位に順に積層状に、落下防止層４と下位育成層５と肥料層６と根付け層７と上位育成層８を配設すると共に、上位育成層８内における根付け層７上に冷蔵保管した後の防カビおよび防虫処理された球根９を備えてある。球根９と蓋部３との間には発芽を予定して１〜１．５ｃｍ程度の間隔が残るように収納してある。
容器１の底部にはプラスチック製のカバー１０が脱着可能に備えられており、このカバー１０は上位の穴２を確保すると共に保護し、穴２から流出する水受けにもなる。
【０００７】
落下防止層４は、穴２から流出する水を濾過する働きを有する下位の通気性のフィルター４ａと、下位育成層５におけるバーミキュライト５ａがフィルター４ａを通過して穴２から落下するのを防ぐ働きを有する通気性の綿部材４ｂとからなる二層タイプのものである。下位育成層５は、粒状のバーミキュライト５ａを詰めて形成してある。肥料層６は、粒状の肥料部材６ａを詰めて形成してある。根付け層７は、綿部材７ａで形成してある。上位育成層８は、粒状のバーミキュライト８ａを詰めて形成してある。球根９はチューリップで、２〜１０℃に冷蔵保管した後のもので、防カビおよび防虫のために公知の手法により薬品処理してある。
【０００８】
次に、使用状態について図３を参照して説明する。
屋内における適宜の観賞場所に容器１を置く。摘み３ａを起こして蓋部３を切り離し、上位育成層８上から水をやると、根９ａが根付け層７に根付き、肥料層６の栄養分を吸収して順調に生育して発芽して、１ヵ月半程度の生育期間で開花した。
【図面の簡単な説明】
【０００９】
【図１】本考案の栽培セットにおける実施の１形態を例示している縦断面図。
【図２】平面図。
【図３】開花した使用状態図。
【符号の説明】
【００１０】
１  容器
１ａ  底面部
１ｂ  上面部
２  穴
３  蓋部
３ａ  摘み
４  落下防止層
４ａ  フィルター
４ｂ  綿部材
５  下位育成層
５ａ、８ａ  バーミキュライト
６  肥料層
６ａ  肥料部材
７  根付け層
７ａ  綿部材
８  上位育成層
９  球根
９ａ  根
１０  カバー
【図１】
0003117452.tif 000003
【図２】
0003117452.tif 000004
【図３】
0003117452.tif 000005